(57)【要約】      （修正有）【課題】直線法では従来固定子部分にかかる力は主として耐性として費消されていた力を直角法により回転体に利用する。【解決手段】在来の電動機および原動機を対にして互いに逆転し、あるいは  固定部分、回転子を互いに逆転して耐性として費消されていた力を直角法により回転体として利用する。【選択図】図１１
2007185001.tif 000002
【特許請求の範囲】
【請求項１】
直角法、あるいは相殺法、あるいは直線法との併用による移動をなすために、在来の電動機を対にして中心軸あるいは中心軸を含む回転子を回転体として互いに逆転して固定子の反作用を取り付ける支持板で相殺し、また同方向回転の場合も固定子は互いに逆転して反作用を相殺して発生しない、あるいは固定子を回転子として固定子、回転子の区別なく、互いに逆転する電動機および原動機を含む出力機の構造および方法の回転体による角度変換移動出力方法および出力機並びに出力機による移動方法１０および移動体。
【請求項２】
電磁力および磁力による基板は表裏に吸引、反発の極性をなして制御し、あるいは直接、各々に面して極性をなして従来の固定子を回転子として逆転し、あるいは逆転した中心軸あるいは中心軸を含む回転子を逆転具により互いに同方向に回転する中心軸あるいは中心軸を含も回転子、あるいは回転体を形成した電動機および原動機を含む出力機の方法および構造の請求項１および請求項２の回転体による角度変換移動出力方法および出力機並びに出力機による移動方法１０および移動体。
【請求項３】
回転子、固定子の区別なく各々の中心軸あるいは中心軸を含む回転子を回転体として、、あるいは中心軸あるいは回転子を含む中心軸に回転体を互いに逆回転あるいは同方向回転すべく形成して供し、あるいはそれぞれに加力点を互いに形成した電動機および原動機を含む出力機の構造および方法の請求項１および請求項２および請求項３の回転体による角度変換移動出力方法および出力機並びに出力機による移動方法１０および移動体。
【請求項４】
主として互いに逆転する中心軸あるいは回転子を含む中心軸を回転体として、あるいは中心軸あるいは回転子を含む中心軸に回転体を形成して、回転体を同方向に回転するときは、片方の回転子をギア等の逆転具を形成して、あるいは形成せずに直接、中間に人間等の移動体を装着して回転して、対の場合は回転せずに直線法で、脚等の突起部を加力点として、加力点により主として宇宙における遊泳防止して宇宙船の歩行に主として用いる電動機および原動機を含む出力機の構造および方法の請求項１および請求項２および請求項３六および請求項４の回転体による角度変換移動出力方法および出力機並びに出力機による移動方法１０および移動体。
【請求項５】
互いに逆転する中心軸あるいは回転子を含む中心軸を回転体として、あるいは形成した回転体の内径を含む主として進行方向に逆行しない逆転部位に加力点をそれぞれ設置して進行方向で互いに加力するように、機械的にあるいは電気的に極性を制御して互いの反作用を相殺して公転する電動機および原動機を含む出力機の構造および方法の請求項１および請求項２および請求項３および請求項４および請求項５の回転体による角度変換移動出力方法および出力機並びに出力機による移動方法１０および移動体。
【請求項６】
角度変換移動用電動機あるいは角度変換移動原動機を用いて、人間等の移動体に設置して、脚等の突起部を加力点として宇宙船内外等における浮遊移動を防止し、あるいは直線法で動く在来の自動車等移動体において、前後輪、あるいは左右車輪の回転が可能となる電動機および原動機を含む出力機の構造および方法の請求項１および請求項２のおよび請求項３および請求項４および請求項５の回転体による角度変換移動出力方法および出力機並びに出力機による移動方法１０および移動体。
【請求項７】
主として回転体、あるいは回転体を含む系を外郭により覆って内蔵して、真空に減圧、あるいは与圧して保持してその回転力の消耗を防ぐとともに、内蔵されたものを防護して周囲に影響されることなく、電動機および原動機を含む出力機による系の移動を得る構造および方法の請求項１および請求項２および請求項３および請求項４および請求項５および請求項６および請求項７の回転体による角度変換移動出力方法および出力機並びに出力機による移動方法１０および移動体。
【請求項８】
角度変換移動用電動機あるいは角度変換移動電動機の同方向電動機を含む角度変換移動原動機を含む出力機において、逆転する回転体の片方を停止、可動とすることにより、直角法による移動だけでなく地上の車両、船、航空機等直線法により対象に依拠して移動する移動体に搭載して直線法により、あるいは直角法と併用して移動する移動体の構造および方法の構造および方法の請求項１および請求項２および請求項３および請求項４および請求項５および請求項６および請求項７および請求項８の回転体による角度変換移動出力方法および出力機並びに出力機による移動方法１０および移動体。
【請求項９】
互いに逆転する回転体は内径を含む主として進行方向に逆行しない逆転部位に加力点をそれぞれ設置して進行方向で互いに加力するように、機械的にあるいは極性を制御し、基板あるいは、中心軸の支持具は系あるいは移動体に取り付けた電動機および原動機を含む出力機の構造および方法の請求項１および請求項２および請求項３および請求項４および請求項５および請求項６および請求項７および請求項８および請求項９の回転体による角度変換移動出力方法および出力機並びに出力機による移動方法１０および移動体。
【請求項１０】
電力を入力して互いの回転体を逆転、または同転させると、単体の場合と同じく、あるいは対の場合のように加力点により、あるいは互いに回転体は加力点を支点として公転して、互いの生じた反作用は同方向の場合は反作用を対象を蹴ることなく押さえて、対の場合は相殺され、回転体は進みしたがって回転体を形成する電動機あるいは原動機を含む出力機および系および系を搭載した移動体も進む方法および構造の請求項１および請求項２および請求項３および請求項４および請求項５および請求項６お請求項７および請求項８および請求項９および請求項１０の回転体による角度変換移動出力方法および出力機並びに出力機による移動方法１０および移動体。
【請求項１１】
対の回転体の片方あるいは複数並列して互いの出力差を生じて回転体の、上下角の動きとなし、逆転する回転体の円周方向に加力位置を変えることにより、あるいは回転体の互いの位置を変えて加力することにより、進行方向の左右変更となり、半径方向に変更することにより、移動距離、速度、出力強度の変更ができ、あるいは回転体を設置した系を取り付けた移動体に対して、糸を自由継き手により上下前後左右に動かすことにより上下方向および前後左右方向の移動体の移動ができる構造および方法の請求項１および請求項２および請求項３および請求項４および請求項５および請求項６および請求項７および請求項８および請求項９および請求項１０および請求項１１の回転体による角度変換移動出力方法および出力機並びに出力機による移動方法１０および移動体。
【請求項１２】
互いに逆転して対に構成される回転体はその外周に回転体を互いに逆回転する働きをする磁力、電磁力による回転駆動部を互いに逆転すべく形成し、両回転駆動部の中空部に系より連なる基板を設置して、あるいは設置せずに回転体が互いに逆転すべくして移動する電動機および原動機を含む出力機の構造および方法の請求項１および請求項２および請求項３および請求項４および請求項５および請求項６および請求項７および請求項８および請求項９および請求項１０および請求項１１および請求項１２の回転体による角度変換移動出力方法および出力機並びに出力機による移動方法１０および移動体。
【請求項１３】
それぞれの回転駆動部内部に公転移動部を設置し、加力点を形成して、公転移動部は復帰部により公転の後自転位置への復帰をする電動機および原動機を含む出力機の構造および方法の請求項１および請求項２および請求項３および請求項４および請求項５および請求項６および請求項７および請求項８および請求項９および請求項１０および請求項１１および請求項１２および請求項１３の回転体による角度変換移動出力方法および出力機並びに出力機による移動方法１０および移動体。
【請求項１４】
自転位置への復帰を回転駆動部に入力して外周を回転させると同時に公転移動部も回転することにより自転と公転を互いに逆転しながら繰り返し、対の回転駆動部よりなる回転体は互いに逆転しながら加力による反作用を相殺して、互いの重心の移動を外形を変えずに回転駆動部内で繰り返して、力を復帰部にて回転駆動部、あるいは系に伝えて自転位置へ復帰する電動機および原動機を含む出力機の構造および方法の請求項１および請求項２および請求項３および請求項４および請求項５および請求項６および請求項７および請求項８および請求項９および請求項１０および請求項１１および請求項１２および請求項１３および請求項１４の回転体による角度変換移動出力方法および出力機並びに出力機による移動方法１０および移動体。
【請求項１５】
主として円形の回転体の公転方向の、受け部を兼ねた移動可能な公転方向を基板を兼ねて進行指示具を設けて回転体は機械的あるいは電気的に加力方向と直角となる進行指示具方向に進行する電動機および原動機を含む出力機の構造および方法の請求項１および請求項２および請求項３および請求項４および請求項５および請求項６および請求項７および請求項８および請求項９および請求項１０および請求項１１および請求項１２および請求項１３および請求項１４および請求項１５の回転体による角度変換移動出力方法および出力機並びに出力機による移動方法１０および移動体。
【請求項１６】
在来の電動機の固定部分である固定子、回転子の区別なく中心軸、あるいは中心軸を含む回転子を回転体として、あるいは回転体を形成して、主として逆転部位の逆行しない部位に、内径を含む部位、あるいは人体等移動体の脚のように見かけ上離れて、加力点を設けて、対象を押さえて反作用を伝えて主として直角法により進行して、あるいは電動機を対にして、あるいは従来の直線法では反作用の受け部位として、固定部分として機能していた固定子を回転子として互いに逆回転して、あるいは回転体内部に加力点を形成して、互いに加力して反作用を相殺して、相殺法により反作用を消去して、公転して進行するための、また角度変換移動用電動機あるいは角度変換移動電動機の同方向電動機においては直角法による移動だけでなく地上の車両、船、航空機等の直線法により対象に依拠して移動する移動体に搭載して直線法、あるいは直角法と併用してあるいは相殺法で移動するそれぞれの電動機および原動機を含む出力機、あるいは電動機および原動機を含む出力機を搭載したそれぞれの系、あるいは系を搭載したそれぞれの移動体の構造および方法の請求項１および請求項２および請求項３および請求項４および請求項５および請求項６および請求項７および請求項８および請求項９および請求項１０および請求項１１および請求項１２および請求項１３および請求項１４および請求項１５および請求項１６の回転体による角度変換移動出力方法および出力機並びに出力機による移動方法１０および移動体。
【請求項１７】
回転体の公転による原動力による出力において、回転体に加力点を形成することにより、そのものが移動する推進力をなして単体の直角法では対象を押さえて、相殺法では対象等周囲と関係なくそのものが自己移動する角度変換移動の原動機であり、かつ角度変換移動の推進機となる出力機の構造および方法の請求項１および請求項２および請求項３および請求項４および請求項５および請求項６および請求項７および請求項８および請求項９および請求項１０および請求項１１および請求項１２および請求項１３および請求項１４および請求項１５および請求項１６および請求項１７の回転体による角度変換移動出力方法および出力機並びに出力機による移動方法１０および移動体。
【請求項１８】
互いに逆転する回転を主体とした直角法あるいは相殺法において、原動力の爆発に対して直線法と等しい一方向の力の取り出し方の他に前後二方向、前後左右四、前後左右上下六方向、片側を停止して三、五方向の力の取り出し方の出力により回転体の回転を得て出力を得る出力機の構造および方法の請求項１および請求項２および請求項３および請求項４および請求項５および請求項６および請求項７および請求項８および請求項９および請求項１０および請求項１１および請求項１２および請求項１３および請求項１４および請求項１５および請求項１６および請求項１７および請求項１８の回転体による角度変換移動出力方法および出力機並びに出力機による移動方法１０および移動体。
【請求項１９】
電力と限らず人力、内燃機関等他の原動力にて逆転あるいは同方向回転の回転体を構成して角度変換して請求項１４と同様作動する電動機および原動機を含む出力機の構造および方法の請求項１および請求項２および請求項３および請求項４および請求項５および請求項６および請求項７および請求項８および請求項９および請求項１０および請求項１１および請求項１２および請求項１３および請求項１４および請求項１５および請求項１６および請求項１７および請求項１８および請求項１９請求項２０の回転体による角度変換移動出力方法および出力機並びに出力機による移動方法１０および移動体。
【発明の詳細な説明】
【技術分野】
【０００１】  自転する回転体に加えられる力（以下加力と称す）の出力が横方向の成分をなす、即ち反作用が直角（以下直角法と称す）成分を有する回転体の反作用による角度変換移動に用いる、回転体による角度変換移動出力方法および出力機並びに出力機による移動方法１０および移動体に関する。
【背景技術】
【０００２】  従来すべての物体の移動は直線の作用反作用（以下直線法と称す）で成り立つものと決められてきた。
【特許文献１】  特願２００２−６２２２１
【非特許文献１】  ＲＣマガジンー八重洲出版
【発明の開示】
【発明が解決しようとする課題】
【０００３】  そのために、物体の移動には必ず移動に相当する直線の反作用の受け手がなければ、物体の移動はあり得ないものと決められて、教えられ学んできた。
このことが移動に要する力の元である原動力の浪費となり、資源の枯渇、環境破壊等等の危機をもたらしている。
【課題を解決するための手段】
【０００４】  回転体において、直線の作用反作用即ち直線法が発生するのは中心軸方向への二方向の加力と自転により発生することによるもの、即ち重力によるものであり、回転体の自転と中心軸方向以外への一方向への加力が、横移動成分よりなる即ち直角の反作用成分よりなる即ち直角法となるものであることにより解決する。
【発明の効果】
【０００５】  従来の主として電動機において回転子を回転するために固定して反作用を受けて使用していた固定部分（以下固定子と称す）である固定子の受ける反作用を互いに逆転して出力し、あるいは対にして互いに逆転して可能となるものである。
【発明を実施するための最良の形態】
【０００６】  すなわち在来の電動機では不可能であった対の回転体、あるいは面して互いに逆転による移動方法であり、移動する方向および距離に応じた加力点を、相互に回転する回転子あるいは取り付けた回転体に設置して、あるいは回転体に直接設置せずに、宇宙においては人間等移動体の脚等を加力点として、主として逆転部位に加力点を設けて直角法、あるいは直角法を対抗した相殺法で移動するものである。
以下二方向移動の原動力である電力を原動力とする電動機により例示する。
【実施例１】
【０００７】  直角法、あるいは相殺法、あるいは直線法との併用による移動をなすために、
図１において点線で表す据え付け部１に取り付けた在来の在来の電動機２を対にして中心軸あるいは中心軸を含む回転子３を回転体として回転し、図中４は入力線を、矢印５は回転方向を表し、
図２、においては固定子、回転子の区別なく、回転体６として互いに入力して互いに逆転すべく、主として系に連なる回転支持台７に係止して回転体６が互いに入力により逆転転するもので、図中８は中心じくを表し、
図３においては互いに面する回転子３あるいは回転体６の磁極８と磁極による加力点を示し、
図４においては外郭１１で被覆して互いの磁極により逆転して取り付けて回転体６により作動する電動機を表し、
図５、６においては、互いに逆転して在来の電動機の固定子１１の逆転の反作用を取り付ける支持板１２で相殺し、また図５では支持板１２を介して同方向回転して、また互いに面する回転子あるいは回転体の場合も互いに逆転して反作用を相殺して発生せず、したがって  中心軸８るいは回転子３に回転体６を形成して加力点１３を互いに形成し、あるいは人間の脚等の突起部を加力点１３とする場合は加力点１３を形成しない電動機および原動機の構造および方法の回転体による角度変換移動出力方法および出力機並びに出力機による移動方法１０および移動体である。
図中、  図６の点線は回転体６を表す。【０００８】  図７、８、９、１０においては、中心軸８あるいは中心軸を含む回転子３に回転体６を形成してあるいは回転体６として磁極９を設けて、面して、磁極面あるいは面する回転体６に加力点１３を形成した電動機を表し、図７において加力点１３は磁力あるいは電磁力でなり、図８では機械的な加力点を表し、図中１４は中心軸の復帰具を表す。
図１１、１２、においては対の回転体４′により周囲と関係なく自己移動する電動機を示すもので、系をなす外郭９に内蔵した例示であり、転がり車輪１５の有無に拘わらず入力により、内蔵した回転体の作動により外郭９は自己移動し、制御基板１６により面して互いの加力点１３の位置、加力量を制御することにより進行方向の変更をする。図１３において加力点の受け部を兼ねた進行指示板１６は点線で表すように復帰具も兼ねる。【０００９】  すなわち原動力により系そのものが自己移動する推進機となり、搭載、設置することにより移動する出力機であり、駆動体となる。
いま電力により入力して互いの回転体を逆転あるいは同方向回転させると、単体の場合と同じく、あるいは対の場合のように加力点により、あるいは互いに回転体は加力点を仮の支点として公転して、互いの生じた反作用は同方向の場合は反作用を対象を蹴ることなく押さえて、あるいは相殺され、回転体は進み、したがって回転体を形成する系および搭載した移動体も進む構造および方法の回転体による角度変換移動出力方法および出力機並びに出力機による移動方法１０および移動体である。【００１０】  実施例は電動機構の基本要素を示めして他の原動機の場合も同様構成となり、制御基板を中間に置いて、あるいは面した中心軸、あるいは回転体は、従来の回転子、固定子の区別なく互いに逆転するもので、加力点を操作して一方を停止すれば、在来の電動機と等しい動作となり、直線法の出力となるので、地上にて用いる際には重力により直線法の影響があるので、在来の電動機と同一の作動が可能となる。【００１１】  図においては互いに面して磁極あるいは電磁極の磁極１０により電磁的に回転子、固定子の区別なく各々の中心軸２あるいは中心軸２を含む回転子３を回転体３′として、、あるいは中心軸あるいは回転子を含む中心軸に回転体３′を互いに逆回転あるいは同方向回転すべく形成して供し、いずれにおいても回転体の回転により発生する反作用を消去し、【００１２】  図のように主として互いに逆転する中心軸あるいは回転子を含む中心軸を回転体として、あるいは中心軸あるいは回転子を含む中心軸に回転体を形成して、回転体を同方向に回転するときは、片方の回転子をギア等の逆転具を形成して、あるいは例示図のように形成せずに直接、中間に人間等の移動体を装着して回転して、対の場合は回転せずに直線法で、脚等の突起部を加力点として、加力点により主として宇宙における遊泳を防止して宇宙船の歩行に主として用いる電動機および原動機の構造および方法の回転体による角度変換移動出力方法および出力機並びに出力機による移動方法１０および移動体であり、【００１３】  回転体による移動において、形成された回転体の主として回転体の内径を含む主として進行方向に逆行しない逆転部位に加力点をそれぞれ設置して進行方向で互いに加力するように、機械的にあるいは電気的に極性を制御して互いの反作用を相殺して公転する電動機の構造および方法である。
また  対の電動機を互いに逆転して固定子の反作用を相殺して、あるいは回転体の片方を逆転して互いに同方向に回転する角度変換移動用電動機あるいは角度変換移動原動機を用いて主として単体の回転体に用いてあるいは人間等移動体に設置して、脚等可動な突起部を加力点として宇宙船内外等における浮遊移動を防止することができるとともに、在来の自動車等移動体において、前後輪、あるいは左右車輪の回転は直線法であるが出力の反作用は相殺される。【００１４】  すなわち従来の直線法では、固定子としての反作用の受け手を回転しても出力を得ることは不可能であり、回転体を公転しても、互いに逆方向の力となって移動は起こり得ず、意味をなさなかった。【００１５】  回転体、あるいは回転体を含む系を外郭により覆って内蔵して、真空に減圧、あるいは与圧して保持してその回転力の消耗を防ぐとともに、内蔵されたものを防護して周囲に影響されることなく、系の移動を得るとともに、系を搭載した角度変換移動体を気密に形成して与圧して中の人間等移動体を防護するものである。【００１６】  例示以外に、角度変換移動用電動機あるいは角度変換移動電動機並びに角度変換移動用原動機および角度変換移動原動機を含む角度変換移動出力機において、逆転する回転体の片方を停止、あるいは可動とすることにより、直角法による移動だけでなく地上の車両、船、航空機等直線法により対象に依拠して移動する移動体に搭載して直線法により、あるいは直角法と併用して移動し、また移動体の互いに外枠、内枠より対抗して逆転する複数の回転子の極面を面して逆転して出力の増大を図って同義であり、また対の回転体の片方あるいは複数並列して互いの出力差を生じて回転体の、上下角の動きとなし、逆転する回【００１７】転体の円周方向に加力位置を変えることにより、あるいは回転体の互いの位置を変えて加力することにより、進行方向の左右変更となり、半径方向に変更することにより、移動距離、速度、出力強度の変更が、摩擦による直線法によらずにでき、あるいは回転体を設置した系を取り付けた移動体に対して、系を回動装置等の自由継ぎ手により前後左右上下に動かすことにより上下方向および前後左右方向の移動体の移動ができ、例示図  では固定した進行方向指示具で表しているが、指示具を可変として、あるいは電磁的に支持板で指示して進行方向が得られる。
従来の直線法では主として固定子の耐性として費消されていた力を利用できる構造の回転体による物体の移動方法である。
【実施例２】
【００１８】  図１３においては、互いに逆転して対に構成される回転体６はその外周に回転体６に回転を互いに逆回転をする働きをする磁力、電磁力による回転駆動部１８  を互いに逆転すべく形成し、両回転駆動部１８の中空部に系あるいは外郭１１より連なる可動な進行指示板１７あるいは制御基板１６を設置して、あるいは設置せずに互いに逆転すべくした構造をなし、それぞれの回転駆動部１８に公転移動部１９を設置し、加力点１３を形成して、公転移動部１９は復帰部１４により公転の後自転位置への復帰をする構造である。【００１９】  入力線４により回転駆動部１８に入力して外周を回転させると同時に公転移動部１９も回転することにより自転と公転を互いに逆転しながら繰り返す。
対の回転駆動部よりなる回転体は互いに逆転しながら加力による反作用を相殺して、互いの重心の移動を外形を変えずに回転駆動部内で繰り返して、力を復帰部にて回転駆動部、および系あるいは外郭に伝えて自転位置へ復帰する構造である。【００２０】  復帰による反作用は互いに相殺されて回転体自身が周囲に関係なく自己移動するものである。
実施例に表すように、主として円形の回転体の公転方向の、受け部を兼ねた移動可能な公転方向を基板を兼ねて進行指示板を設ければ回転体は機械的に加力方向と直角となる指示具方向に進行するが、これを電気的に行うとより方向の指示が円滑となる。【００２１】  上記実施例は電力を原動力として例示するものであるが角度変換して移動する要素の回転体の自転と加力は、電力以外の内燃機関、ロケット機関等、他の原動力にても行えるものである。
いずれの実施例においても、回転体の公転による原動力による出力は従来の出力を伝達具によりタイヤ等により地面等の対象に伝えて移動するものではなく、そのものが中間を省いて推進する推進力を発生するもので、回転体に加力点を形成することにより、そのものが移動する推進力をなして、中間の伝達具、地面を蹴るタイヤ等は基本的に必要なく、単体の直角法では対象を押さえて、相殺法では対象等周囲と関係なく地上では耐重力のための転がり車輪でよく、そのものが自己移動する角度変換移動の原動機であり、かつ角度変換移動の推進機であり、出力機である。
したがって回転体により角度変換移動する原動機あるいは推進機を設置した系を前後上下左右に回動する機構を形成することにより対象を押さえて、あるいは関係なく求める方向に移動する。【００２２】  また本実施例では直角法あるいは相殺法による出力を得るために在来の電動機による電力による出力の作用反作用の主として固定部分に発生する回転子の反作用を対象あるいは相殺すべく、固定部分の反作用を対象により消去し、また並列してあるいは面して基板により相殺して回転を得て、また固定部分、回転子の区別なく互いに逆転して回転を得ているが、これらはいずれも一方向あるいは二方向の原動力からの出力方法である。
一方向あるいは二方向に加工された直線法のための原動力からの力の取り出し方以外に、主として球形をなす原動力の爆発からの力の取り出し方は、その他に球形の爆発に対して前後左右上下の六面がある。【００２３】  回転体の下端で地面等対象を蹴ることによってのみ移動が得られる直線法では爆発に対して、一方向のみの力の取り出し方しか回転体の移動方法は無かったが、回転体の水平位置で力を取り出す直角法、相殺法では、直線法のための力の取り出し方と等しい方法の他に互いに逆転する回転を主体とした直角法あるいは相殺法においては、加工されていない原動力の爆発に対して作用反作用の直線法と等しい一方向の力の取り出し方の他に前後二方向、前後左右四、前後左右上下六方向、片側を停止して三、五方向の力の取り出し方があり、回転体の位置は違っても各々への加力位置を変えることにより同一方向、あるいは求める方向への合力が得られ、本実施例では主として二方向までを例示した。
内燃機関で例えれば一シリンダーに対して六個あるいはそれ以上のピストンによる力の取り出し方となる。【００２４】  これを要するに、例示のように在来の主として電動機の固定部分である固定子、回転子の区別なく中心軸、あるいは中心軸を含む回転子を回転体として、あるいは回転体を形成して、主として逆転部位の逆行しない部位に、内径を含む部位、あるいは人体等移動体の脚のように見かけ上離れて、加力点を設けて、対象を押さえて反作用を伝えて主として直角法により進行して、あるいは電動機あるいは原動機を含む出力機を対にして、あるいは従来の直線法では反作用の受け部位として、固定部分として機能していた固定子を回転子として互いに逆回転して、あるいは回転体内部に加力点を形成して、互いに加力して反作用を相殺して、相殺法により反作用を消去して、公転して進行するための、また角度変換移動用電動機あるいは角度変換移動電動機並びに角度変換移動用原動機および角度変換移動原動機の同方向電動機あるいは同方向原動機においては直角法による移動だけでなく地上の車両、船、航空機等の直線法により対象に依拠して移動する移動体に搭載して直線法、あるいは直角法と併用してあるいは相殺法で移動するそれぞれの電動機あるいは原動機、あるいは電動機あるいは原動機を含む出力機を搭載したそれぞれの糸、あるいは系を搭載したそれぞれの移動体の構造および方法の回転体による角度変換移動出力方法および出力機並びに出力機による移動方法１０および移動体である。
【産業上の利用可能性】
【００２５】  従来の直線法では使用することが不可能な固定子の力の利用ができる。
すなわち、  回転体による角度変換移動において、電力等により作動する出力装置により移動するもので、基本的には電力と限らず人力、内燃機関等他の原動力にても逆転の回転体の自転と加力点を構成すれば同様の原動機の作動が可能となる。
【図面の簡単な説明】
【００２６】
【図１】  在来原動機を対抗した模式図。
【図２】  対抗して逆転する回転体の模式図。
【図３】  面する磁極面の模式図。
【図４】  外郭に収納して互いに逆転する出力機の要部部分断面図。
【図５】  主として宇宙浮遊防止に用いる同方向回転出力機の要部俯瞰図。
【図６】  主として宇宙浮遊防止に用いる同方向回転出力機の斜面図。
【図７】  電磁極により加力点を構成した模式図。
【図８】  機械的に加力点を形成して電磁極により逆転する要部断面図。
【図９】  据え付け部に在来の原動機を対抗して加力点を形成して復帰具により公転して移動する角度変換移動出力機の模式図。
【図１０】  系あるいは求める移動体に設置して角度変換移動する出力機の基本図。
【図１１】  電磁力により互いの逆転を制御基板により制御して加力点により公転して自己移動する角度変換移動出力機の斜面要部断面図。
【図１２】  電磁力により互いの逆転を制御基板により制御して加力点により公転して角度変換自己移動出力機の要部断面図。
【図１３】  互いに逆転する回転体の外周を回転して外形が変わらず角度変換移動する出力機の模式図。
【符号の説明】
【００２７】  １  据え付け部
２  在来の電動機
３  回転子
４  入力線
５  回転方向の矢印
６  回転体
７  回転支持台
８  中心軸
９  磁極
１０  外郭
１１  固定子
１２  支持板
１３  加力点
１４  復帰具
１５  転がり車輪
１６  制御基板
１７  進行指示板
１８  回転駆動部
１９  公転駆動部
【図１】
2007185001.tif 000003
【図２】
2007185001.tif 000004
【図３】
2007185001.tif 000005
【図４】
2007185001.tif 000006
【図５】
2007185001.tif 000007
【図６】
2007185001.tif 000008
【図７】
2007185001.tif 000009
【図８】
2007185001.tif 000010
【図９】
2007185001.tif 000011
【図１０】
2007185001.tif 000012
【図１１】
2007185001.tif 000013
【図１２】
2007185001.tif 000014
【図１３】
2007185001.tif 000015